(57)【特許請求の範囲】
【請求項１】
まくらぎの端部が収納されて、このまくらぎの端部を弾性的に支持する収納箱と、この収納箱が固定される上部フランジを備えた鋼桁とからなり、前記収納箱の下部側面に、前記鋼桁の上部フランジ上に固定される固定片が一体に設けられてなる箱受弾性軌道装置に用いられて、前記収納箱の固定片を前記上部フランジに固定する固定部材であって、前記上部フランジの下面に当接させられる下部支持部と、前記固定片の上面に当接させられ、前記下部支持部に平行に位置する上部支持部と、これらの下部支持部と上部支持部とを連結するとともに、これらを前記固定片および上部フランジに弾性的に圧接させる連結部とによって構成され、
平面で見たときに前記上部支持部と前記下部支持部は重なり、前記連結部は前記上部支持部と前記下部支持部を連続させるように環状のトラック形に湾曲させられ、
側面で見たときに前記連結部は前記上部支持部から上方へ湾曲して移行する部分と、それに連続して前記上部支持部に平行となる部分と、これに連続して下方へ降下する部分と、これに連続して上方へ湾曲して移行し、前記下部支持部に連続する部分とを有し、
前記連結部の前記上部支持部に平行となる部分は、
前記上部支持部のうち前記固定片に当接させられる部分よりも上に位置していることを特徴とする箱受弾性軌道装置における収納箱の固定部材。
【請求項２】
前記固定部材が金属線材によって形成されているとともに、前記下部支持部と上部支持部が、鉛直面内において重畳させられるようになされていることを特徴とする請求項１に記載の箱受弾性軌道装置における収納箱の固定部材。
【請求項３】
請求項１、もしくは請求項２の何れかに記載の固定部材を備えていることを特徴とする箱受弾性軌道装置。
【請求項４】
請求項１ないし請求項３の何れかに記載の固定部材を前記上部フランジの幅方向両側に備えていることを特徴とする箱受弾性軌道装置。
【発明の詳細な説明】
【０００１】
【発明の属する技術分野】
本発明は、軌道装置に係わり、特に、防振等を目的として、まくらぎと鋼桁との間に介装される箱受弾性軌道装置に用いられる固定部材およびこの固定部材を備えた箱受弾性軌道装置に関する。
【０００２】
【従来の技術】
従来、鋼桁上の軌道は、木まくらぎまたは合成まくらぎを鋼桁に直接固定することによって構成されている。
その固定方法は、木まくらぎまたは合成まくらぎに、縦方向に穴を貫通して形成し、その貫通孔内にフックボルトと呼ばれるＬ型のボルトを挿通して、前記鋼桁と木まくらぎまたは合成まくらぎとを固定する方法と、鋼桁に穴突きアングルを予め溶接もしくはボルトによりまくらぎ巾の間隔で固着しておき、その２つのアングルの間に、前記木まくらぎまたは合成まくらぎを据え、これらのアングルと木まくらぎまたは合成まくらぎとに、六角ボルトを挿通して固定する方法とがある。
したがって、鋼桁と木まくらぎまたは合成まくらぎの間のゴムは、バネ定数が低いものは使用できない。
これは、車両通過毎にゴムが圧縮変形させられ、その効果でフックボルトが緩み、木まくらぎや合成まくらぎが移動または落下する可能性が高くなるためである。
【０００３】
【発明が解決しようとする課題】
しかしながら、このような鋼桁上の軌道にあっては、鋼桁とまくらぎが直結されていることから、鋼桁に、軌道からかかる荷重や衝撃が直接伝わることとなり、振動や騒音が大きく、また、振動吸収能力が小さいことから乗り心地が悪いといった問題点が残されている。
【０００４】
本発明は、このような従来の問題点に鑑みてなされたもので、保守作業を極力少なくするとともに、騒音を抑え、かつ、良好な乗り心地を実現することのできる箱受弾性軌道装置ならびにこの箱受弾性軌道装置に用いられる固定部材を提供することを目的とする。
【０００５】
【課題を解決するための手段】
本発明の請求項１に記載の箱受弾性軌道装置における収納箱の固定部材は、前述した目的を達成するために、まくらぎの端部が収納されて、このまくらぎの端部を弾性的に支持する収納箱と、この収納箱が固定される上部フランジを備えた鋼桁とからなり、前記収納箱の下部側面に、前記鋼桁の上部フランジ上に固定される固定片が一体に設けられてなる箱受弾性軌道装置に用いられて、前記収納箱の固定片を前記上部フランジに固定する固定部材であって、前記上部フランジの下面に当接させられる下部支持部と、前記固定片の上面に当接させられ、前記下部支持部に平行に位置する上部支持部と、これらの下部支持部と上部支持部とを連結するとともに、これらを前記固定片および上部フランジに弾性的に圧接させる連結部とによって構成され、
平面で見たときに前記上部支持部と前記下部支持部は重なり、前記連結部は前記上部支持部と前記下部支持部を連続させるように環状のトラック形に湾曲させられ、
側面で見たときに前記連結部は前記上部支持部から上方へ湾曲して移行する部分と、それに連続して前記上部支持部に平行となる部分と、これに連続して下方へ降下する部分と、これに連続して上方へ湾曲して移行し、前記下部支持部に連続する部分とを有し、
前記連結部の前記上部支持部に平行となる部分は、
前記上部支持部のうち前記固定片に当接させられる部分よりも上に位置していることを特徴とする。
本発明の請求項２に記載の箱受弾性軌道装置における収納箱の固定部材は、請求項１に記載の前記固定部材が金属線材によって形成されているとともに、前記下部支持部と上部支持部が、鉛直面内において重畳させられるようになされていることを特徴とする。
本発明の請求項３に記載の箱受弾性軌道装置は、前記請求項１、もしくは請求項２の何れかに記載の固定部材を備えていることを特徴とする。
本発明の請求項４に記載の箱受弾性軌道装置は、請求項１ないし請求項３の何れかに記載の固定部材を前記上部フランジの幅方向両側に備えていることを特徴とする。
【０００６】
【発明の実施の形態】
以下、本発明の一実施形態を図面に基づいて詳細に説明する。
図１に符号１で示す本発明の箱受弾性軌道装置は、まくらぎ２の端部が収納されて、このまくらぎ２の端部を弾性的に支持する収納箱３と、この収納箱３を鋼桁４の上部フランジ４ａに固定する固定部材５とを備え、前記収納箱３の下部側面に、前記鋼桁４の上部フランジ４ａ上に載置される固定片６が一体に設けられており、これらの固定片６と上部フランジ４ａとを前記固定部材５によって固定してなる箱受弾性軌道装置であって、前記固定部材５が、金属線材によって形成されており、前記上部フランジ４ａの下面に当接させられる下部支持部５ａと、前記固定片６の上面に当接させられる上部支持部５ｂと、これらの下部支持部５ａと上部支持部５ｂとを連結するとともに、これらを前記固定片６および上部フランジ４ａに弾性的に圧接させる連結部５ｃとによって構成された基本構成となっている。
【０００７】
前記収納箱３は、図２に示すように、上方および長さ方向の一端面が開放されており、その底部には、弾性マット７が装着され、この弾性マット７上に前記まくらぎ２の端部が載置されるようになっている。
【０００８】
また、前記収納箱３には、前記まくらぎ２を上下に貫通し、このまくらぎ２を前記収納箱３に係止するボルトナットからなる係止ロッド８が設けられている。
【０００９】
そして、前記鋼桁４は、平行に２本設けられており、各鋼桁４のそれぞれに、前記収納箱３が固定されるようになっている。
【００１０】
また、前記固定片６は、図２に示すように、前記収納箱３の両側面に設けられているとともに、この収納箱３の側面に上下方向に沿って設けられたガゼットプレート９によって補強されている。
【００１１】
前記固定部材５は、たとえば、ばね鋼からなる線材を曲げ加工することによって形成されており、前記固定部材５を構成する前記下部支持部５ａと上部支持部５ｂは互いに平行で、図４に示すように、鉛直面内において重畳させられており、前記連結部５ｃが、図３に示すように、前記上部支持部５ｂからその側部上方へ向けて湾曲させられた後に、前記上部支持部５ｂと略平行に湾曲され、さらに、前記下部支持部５ａへ向けて湾曲させられた形状となされている。
固定部材５を平面で見たときに上部支持部５ｂと下部支持部５ａは重なり、連結部５ｃは上部支持部５ｂと下部支持部５ａを連続させるように環状のトラック形に湾曲させられ、側面で見たときに連結部５ｃは上部支持部５ｂから上方へ湾曲して移行する部分５ｄと、それに連続して上部支持部５ｂに平行となる部分５ｅと、これに連続して下方へ降下する部分と、これに連続して上方へ湾曲して移行し、下部支持部５ａに連続する部分５ｆとを有し、前記連結部５ｃの上部支持部５ｂに平行となる部分５ｅは、上部支持部５ｂのうち前記固定片６に当接させられる部分よりも上に位置している。
【００１２】
これによって、前記下部支持部５ａと上部支持部５ｂとの間にプレート等を挿入すると、前記連結部５ｃの曲げと捻りに伴う弾発力により前記プレート等を強固に挟持するようになされている。
【００１３】
なお、図１において符号１０は、前記まくらぎ２上に取り付けられるレールを示す。
【００１４】
ついで、本実施形態に係わる箱受弾性軌道装置１の構築手順について説明すれば、まず、まくらぎ２の両端下部に、収納箱３を係止ロッド８によって固定した後に、これらの収納箱３を、平行に設けられている鋼桁４上に載置して、これらの鋼桁４のそれぞれの上部フランジ４ａに、前記収納箱３の固定片６を重ね合わせる。
【００１５】
ついで、図６に矢印で示すように、前記重ね合わされた上部フランジ４ａと固定片６の両側部それぞれに、前記固定部材５を、この固定部材５の下部支持部５ａと上部支持部５ｂとを押し開きながら、これらの間に、前記重ね合わされた上部フランジ４ａと固定片６の両側部を挿入するように装着する。
【００１６】
これによって、固定部材５の連結部５ｃが曲げと捻りにより弾性変形させられるとともに、この弾性力によって、前記重ね合わされた上部フランジ４ａと固定片６が強固に固定される。
そして、このように固定されたまくらぎ２に、レール１０を敷設することによって、軌道が構築される。
【００１７】
このように構築された本実施形態に係わる箱受弾性軌道装置１にあっては、従来の道床のように、車両の重量による突き固めが生じることがなく、この結果、保守作業が大幅に軽減されるとともに、弾性マット７の作用により、レール１０に加わる振動が吸収されて、騒音が軽減され、また、レール１０上を走行する車両の乗り心地が改善される。
【００１８】
さらに、本実施形態においては、収納箱３と鋼桁４との固定をなす固定部材５が、金属線材によって形成されており、前記上部フランジ４ａの下面に当接させられる下部支持部５ａと、前記固定片６の上面に当接させられる上部支持部５ｂと、これらの下部支持部５ａと上部支持部５ｂとを連結するとともに、これらを前記固定片６および上部フランジ４ａに弾性的に圧接させる連結部５ｃとによって構成されていることにより、この固定部材５を、弾性変形させつつ前記上部フランジ４ａの面方向から挿入するといった簡便な操作によって収納箱３の固定を行うことができ、軌道の施工が簡便に行われる。
【００１９】
なお、前記実施形態において示した各構成部材の諸形状や寸法等は一例であって、設計要求等に基づき種々変更可能である。
たとえば、線材を用いて形成した前記固定部材５に代えて、図７および図８に示すような構造とすることもできる。
これらの図において符号１１で示す固定部材は、板材を断面略コ字状に折曲して形成され、平行部分の一方が前記下部支持部１１ａとなされ、また、他方が上部支持部１１ｂとなされ、これらを、両支持部から直交するように折曲された連結部１１ｃによって連結した構成となされているものである。
そして、前記下部支持部１１ａおよび上部支持部１１ｂに、互いに接近する方向に膨出されて、前記固定片６あるいは上部フランジ４ａに接触させられる当接部１１ｄ・１１ｅを形成しておくことも可能である。
【００２０】
【発明の効果】
以上説明したように、本発明に係わる箱受弾性軌道装置における収納箱と鋼桁との固定をなす固定部材を、鋼桁の上部フランジの下面に当接させられる下部支持部と、収納箱に設けられて、前記上部フランジに重ね合わされる固定片の上面に当接させられる上部支持部と、これらの下部支持部と上部支持部とを連結するとともに、これらを前記固定片および上部フランジに弾性的に圧接させる連結部とによって構成したことにより、この固定部材を、弾性変形させつつ前記上部フランジの面方向から挿入するといった簡便な操作によって収納箱を鋼桁へ固定することができ、軌道の施工を簡便なものにすることができる。
また、前記固定部材を備えた箱受弾性軌道装置によれば、従来の道床のように、車両の重量による突き固めが生じることがなく、この結果、保守作業を大幅に軽減することができるとともに、騒音を軽減し、また、走行する車両の乗り心地を改善することができる。
【図面の簡単な説明】
【図１】本発明の一実施形態を示す縦断面図である。
【図２】本発明の一実施形態を示す要部の平面図である。
【図３】本発明の一実施形態を示すもので、固定部材の外観斜視図である。
【図４】本発明の一実施形態を示すもので、固定部材の平面図である。
【図５】本発明の一実施形態を示すもので、固定部材の側面図である。
【図６】本発明の一実施形態を示すもので、固定部材の装着方法を説明するための外観斜視図である。
【図７】本発明の他の実施形態を示すもので、固定部材の平面図である。
【図８】本発明の他の実施形態を示すもので、固定部材の側面図である。
【符号の説明】
１  箱受弾性軌道装置
２  まくらぎ
３  収納箱
４  鋼桁
４ａ  上部フランジ
５  固定部材
５ａ  下部支持部
５ｂ  上部支持部
５ｃ  連結部
６  固定片
７  弾性マット
８  係止ロッド
９  ガゼットプレート
１０  レール
１１  固定部材
１１ａ  下部支持部
１１ｂ  上部支持部
１１ｃ  連結部
１１ｄ・１１ｅ  当接部
【図１】
0003749811.tif 000002
【図２】
0003749811.tif 000003
【図４】
0003749811.tif 000004
【図６】
0003749811.tif 000005
【図７】
0003749811.tif 000006
【図８】
0003749811.tif 000007
【図３】
0003749811.tif 000008
【図５】
0003749811.tif 000009